(57)【要約】      （修正有）【課題】猪に対する忌避効果に優れていながら、忌避成分に由来する不快臭を顕著に低減した猪用忌避材を提供する。【解決手段】繊維表面に豚由来の脂肪３と枯草菌４とが付着させている繊維基材からなる猪用忌避材１であって、枯草菌は粉状であり、好ましくはＢＮ菌である。また、繊維基材は不織布、紐５又はロープである。また、猪用忌避材は、さらにパラフィンが付着されていてもよく、この場合には豚由来の脂肪がマイクロカプセルに包含されている。【選択図】図５
0003188837.tif 000002
【実用新案登録請求の範囲】
【請求項１】
表面に豚由来の脂肪と枯草菌とが付着されている繊維基材からなる猪用忌避材。
【請求項２】
枯草菌がＢＮ菌である請求項１に記載の猪用忌避材。
【請求項３】
繊維基材が不織布、紐又はロープである請求項１又は２に記載の猪用忌避材。
【請求項４】
さらにパラフィンが付着されている請求項１〜３のいずれかに記載の猪用忌避材。
【請求項５】
豚由来の脂肪がマイクロカプセルに包含されている請求項４に記載の猪用忌避材。
【考案の詳細な説明】
【技術分野】
【０００１】
本考案は、耕作地やその周辺部の周囲に設置する猪用忌避剤に関する。
【背景技術】
【０００２】
日本各地では猪による耕作地及びその周辺部への被害は年々増加している。被害の実態としては、猪が耕作地に侵入して作物を食害することに加え、農道、水路、畔などの耕作地を管理するために必要な周辺部を掘り起こしたり、破損したりするなどケースが報告されている。また、耕作地だけでなく、例えば、公園やゴルフ場の芝生を猪が掘り起こしたりする被害も報告されている。
【０００３】
このため、最も効果的な防護対策の一つとして、耕作地などの被害を抑えたい場所の周囲を金属製の柵で囲ったり、猪にショックを与える電気柵を設けて猪の浸入を防ぐ手段が知られている。しかしながら、猪の接近を防ぐことは困難であり、例えば、柵の周囲を猪が徘徊した結果、柵の下部などに少しでも隙間があればその場所から浸入を許してしまうケースがあることも知られている。
【０００４】
他の防護対策としては、忌避用薬剤の散布、忌避薬剤を容器に入れて設置するなどの手段が知られている。これは、猪の嗅覚が優れている性質を利用した対策で、猪が忌避する臭いを散布することで、猪の接近を抑える効果がある。このような忌避用薬剤としては、例えば、ナフタレン、パラジクロベンゼン、カンフル、メントールなど（特許文献１）、木酢液あるいは籾酢液（特許文献２）、オオカミから採取した尿（特許文献３）などが知られている。
しかしながら、このような忌避用薬剤は、それぞれ猪対策としてなんらかの効果はあると思われるが、いずれも、その効果が長期間持続するものではなく、適当な時期に薬剤の補充、追加などのための点検・保守が必要であり、また、上記のような薬剤は入手に手数がかかり、実用性に難点がある。
【０００５】
そこで、豚の皮下脂肪部分あるいは脂肪が多い肉部分を煮詰めて得られる脂肪液を吸着させた吸着材と、この吸着材を柵あるいは立木などに着脱できるように上記吸着材に設けられた着脱具とを備えてなる猪用忌避具が知られている（特許文献４）。
この猪用忌避具は忌避効果が大きいものの、豚の脂肪液に特有の不快臭が当初から強く感じられるため、耕作地の周囲で生活している人々や、自身の耕作地に隣接する耕作地を運営する他の人々に対する配慮が必要であり、それらの人々の理解が得られない場合には設置ができなくなる可能性があるという問題があった。
【先行技術文献】
【特許文献】
【０００６】
【特許文献１】実用新案登録第３１６４１８６号公報
【特許文献２】特開２００８−２８３９１１号公報
【特許文献３】実用新案登録第３１５４７５６号公報
【特許文献４】実用新案登録第３１６８７６３号公報
【考案の概要】
【考案が解決しようとする課題】
【０００７】
本考案は前述の状況に鑑み、豚由来の脂肪を用いることで猪に対する忌避効果に優れていながら、前記脂肪に特有の不快臭を顕著に低減した猪用忌避材を提供することを目的とする。
【課題を解決するための手段】
【０００８】
本考案者は、猪に対する有効な忌避成分である豚由来の脂肪に、枯草菌を混合することで、前記脂肪に由来する不快臭が顕著に低減されるだけでなく、忌避効果も維持されていることを見出し、本考案を完成させた。
【０００９】
即ち、本考案の要旨は、
〔１〕表面に豚由来の脂肪と枯草菌とが付着させている繊維基材からなる猪用忌避材、
〔２〕枯草菌がＢＮ菌である前記〔１〕に記載の猪用忌避材、
〔３〕繊維基材が不織布、紐又はロープである前記〔１〕又は〔２〕に記載の猪用忌避材、
〔４〕さらにパラフィンが付着されている前記〔１〕〜〔３〕のいずれかに記載の猪用忌避材、
〔５〕豚由来の脂肪がマイクロカプセルに包含されている前記〔４〕に記載の猪用忌避材
に関する。
【考案の効果】
【００１０】
本考案の猪用忌避材は、猪の忌避効果に優れる豚由来の脂肪を枯草菌と組み合わせることで、前記脂肪による猪に対する忌避効果に優れていながら、前記脂肪に特有の不快臭を低減することができ、これにより耕作地やその周囲で猪が出没して困っている付近に本考案の猪用忌避材を設置した場合でも、設置後の周囲の人々に対する配慮が顕著に低減される。
また、本考案の猪用忌避材は、不織布、紐、ロープなどの形態のものであるため、猪の浸入を防ぐために設置されている柵などに対しては、所望の位置に簡単に設置することができる。
【００１１】
また、本考案の猪用忌避材は、さらにパラフィンが付着されていることで、耐候性を向上させることができる。
この態様の猪用忌避材では、前記豚由来の脂肪がマイクロカプセルに包含させ、このマイクロカプセル及び枯草菌をパラフィンを介して繊維基材の表面に付着されていることで、忌避効果をさらに長く持続させることができる。
【図面の簡単な説明】
【００１２】
【図１】本考案の忌避材１の一実施形態を示す概略図である。本実施形態では忌避材１の繊維基材は不織布で構成され、ロール状に巻かれている。
【図２】本考案の忌避材１の一実施形態を示す概略図である。本実施形態では忌避材１の繊維基材は紐で構成され、ロール状に巻かれている。
【図３】本考案の忌避材１の一実施形態を示す概略図である。本実施形態では忌避材１の繊維基材はロープで構成され、ロール状に巻かれている。
【図４】本考案の忌避材１の一実施形態を示す概略図であり、図１に示す忌避材１を横方向から拡大して見た側面図である。本実施形態では不織布２の表面に豚由来の脂肪層３が形成されており、この脂肪層３中に枯草菌４が分散状態で含有されている。
【図５】本考案の忌避材１の一実施形態を示す概略図であり、図２に示す忌避材１を横方向から拡大して見た側面図である。本実施形態では紐５の表面に豚由来の脂肪層３が形成されており、この脂肪層３中に枯草菌４が分散状態で含有されている。また、図中、左側は、紐５の表面を被覆している豚由来の脂肪層３の一部を取り除いた断面図である。
【図６】本考案の忌避材１の一実施形態を示す概略図であり、図３に示す忌避材１を横方向から拡大して見た側面図及び繊維７の拡大図である。本実施形態ではロープ６を構成する繊維７の表面に豚由来の脂肪層３が形成されており、この脂肪層３中に枯草菌４が分散状態で含有されている。また、繊維７の拡大図中の左側は、繊維７の表面を被覆している豚由来の脂肪層３の一部を取り除いた断面図である。
【図７】本考案の忌避材１の一実施形態を示す概略図であり、図４に示す忌避材の表面にさらにパラフィンワックス層８が設けられた忌避材を示す。
【図８】本考案の忌避材１の一実施形態を示す概略図であり、パラフィンワックス層８中に、枯草菌４と、豚由来の脂肪を包含させたマイクロカプセル９とが分散された紐状の忌避材を示す。また、図中、左側は、紐５の表面を被覆しているパラフィンワックス層８の一部を取り除いた断面図である。
【図９】本考案の忌避材１の一実施形態を示す概略図であり、表面に枯草菌４が付着された、豚由来の脂肪を包含させたマイクロカプセル９をパラフィンワックス層８中に分散させたロープ状の忌避材及び繊維７の拡大図を示す。また、繊維７の拡大図中の左側は、繊維７の表面を被覆しているパラフィンワックス層８の一部を取り除いた断面図である。
【考案を実施するための形態】
【００１３】
次に、次に本考案の実施の形態を添付図面に基づき詳細に説明するが、本考案は、添付図面に示された形態に限定されず実用新案登録請求の範囲に記載の要件を満たす実施形態の全てを含むものである。
【００１４】
本考案に係る猪用忌避材（以下、本考案の忌避材という）は、表面に豚由来の脂肪と枯草菌とが付着されている繊維基材からなることを特徴とする。
【００１５】
本考案で用いる繊維基材としては、繊維から構成される基材であればよく、不織布、紐、ロープなどが挙げられるが特に限定はない。
前記不織布の形状としては、家屋、田、畑、果樹園などで設置がし易い観点から、帯状の形態のものが好ましい。帯状とは、一定の幅があって細長く続く形をいう。帯状であれば、例えば、目的の場所の周囲に目立たずに設置することができるし、設置場所の面積が大きければ周囲を囲うように設置できる。なお、図１に示すようにロール状に巻いておけばかなり長さのあるものでもコンパクトに収容することができ、取り扱い性もよくすることができるので好ましい。
また、紐とは、繊維を撚り合わせて太くしたものであり、糸より太いものをいう。ロープとは、繊維を撚り合わせて太くしたものであり、紐よりも太いものであり、例えば、複数の紐を撚ったものなどが挙げられる。紐やロープのサイズについては特に限定はない。
【００１６】
前記繊維基材を構成する材料としては、特に限定はなく、木綿、麻、シュロ、ポリプロピレン、ポリエステル、ナイロン、ビニロン、紙、ゴムなどが挙げられるが、特に限定はない。
【００１７】
例えば、図１、４、７に示す忌避剤１では繊維基材は不織布２、図２、５、８に示す忌避材１では繊維基材は紐５、図３、６、９に示す忌避材１では繊維基材はロープ６で構成されている。
【００１８】
本考案の忌避材では、前記繊維基材の表面に豚由来の脂肪と枯草菌とが付着されている。
【００１９】
前記豚由来の脂肪は、猪用の忌避薬剤として作用するものであり、具体的には、豚の皮下脂肪、脂肪が多い肉部分を煮詰めて得られる脂肪液、豚の脂肪を圧搾して得られる油分液などが挙げられる。
本考案において、前記豚由来の脂肪の量は、多いほど忌避効果に優れるが特に限定はなく、例えば、前記繊維基材１００重量部に対して５重量部以上であればよい。
【００２０】
本考案で用いる枯草菌は、前記豚由来の脂肪に特有の不快臭を抑えるために用いる。ここで、前記特許文献４では、豚由来の脂肪に特有の不快臭そのものが猪の忌避効果を有するように記載されているが、本考案の忌避材においては、前記のように、豚由来の脂肪に特有の不快臭が抑えられているにも関わらず、猪忌避効果は確認されている。つまり、本考案の忌避材は、枯草菌の作用により、豚由来の脂肪から不快臭を取り除きながら、忌避成分は残すことで、特許文献４に記載の猪用忌避具のように不快臭が強く感じる忌避材と比べて、臭いの点で一線を画する顕著な効果が奏されている。
【００２１】
本考案で使用する枯草菌は生菌であればよく、乾燥菌体であっても生の菌体でもよいが、取扱性及び入手性に優れる観点から、ＢＮ菌などの市販されるバチルス属の菌を用いるのが好ましい。
なお、ＢＮ菌は、株式会社明治から市販されているバチルス属の菌であり、「バチルス・サブチリスＢＮ１００１」ともいう（特許第２５５３７２７号公報）。
枯草菌の量は、多いほど不快臭の消臭効果に優れるが特に限定はなく、例えば、前記豚由来の脂肪１００重量部に対して０．００１重量部以上１０重量部以下であればよい。
【００２２】
前記豚由来の脂肪と前記枯草菌とが前記繊維基材の表面に付着されている状態としては、特に限定はないが、例えば、図４、５に示すように前記豚由来の脂肪層３に枯草菌４を分散させた状態で繊維基材である不織布２や紐５の表面に付着されていてもよいし、図６に示すように前記繊維基材であるロープ６を構成する各繊維７の表面に豚由来の脂肪層３を設け、その脂肪層３中に枯草菌４を分散させた状態で付着されてもよい。また、図５に示す忌避材１の左側は、紐５の表面を被覆している豚由来の脂肪層３の一部を取り除いた状態を示す断面図であり、図６に示す繊維７の拡大図中の左側は、繊維７の表面を被覆している豚由来の脂肪層３の一部を取り除いた状態を示す断面図である。
【００２３】
豚由来の脂肪層３中における枯草菌４の位置には特に限定はなく、均一に分散していてもよいし、脂肪層３の外表面側などに局所的に偏在していてもよい。
中でも、豚由来の脂肪による不快臭の防臭効果に優れ、耐候性にも優れる観点から、豚由来の脂肪層３中に枯草菌４が均一に分散されていることが好ましい。
【００２４】
また、本考案の忌避材を構成する繊維基材の表面には、前記豚由来の脂肪及び枯草菌に加えて、パラフィンワックスが付着されていてもよい。パラフィンワックスを用いることで、本考案の忌避材の耐候性をさらに向上させることができる。
パラフィンワックスとしては、常温で固体となる性質のものであればよく、その融点については、特に限定はないが、取扱性及び耐候性に優れる観点から、融点が５０〜１００℃が好ましい。パラフィンワックスとしては、市販のものを使用すればよく、特に限定はない。
【００２５】
パラフィンワックスは、前記豚由来の脂肪と混合して一体化した状態でもよいし、豚由来の脂肪層の表面にパラフィンワックスの層を設けてもよい。
例えば、パラフィンワックスと豚由来の脂肪を混合し、一体化させた場合には、これらの混合層中に枯草菌が分散した状態となる。したがって、図４〜６に示す脂肪層３が脂肪とパラフィンワックスとの混合層になる。一方、図７に脂肪層３とは別に脂肪層３の表面にパラフィンワックス層８をさらに設けた忌避材１を示す。
【００２６】
パラフィンワックスの使用量としては、特に限定はないが、例えば、パラフィンワックスを豚由来の脂肪とを混合する場合、忌避効果を保ちながら、耐候性を向上させる観点から、豚由来の脂肪１００重量部に対して２００重量部以下であればよい。
【００２７】
また、前記のようにパラフィンワックスを用いる場合には、前記豚由来の脂肪を予めマイクロカプセルに含浸させてもよい。豚由来の脂肪をマイクロカプセル中に包含させることで、豚由来の脂肪に由来する忌避成分が環境中に放出される時間をさらに引き延ばして、忌避効果をより長く持続することができる。
例えば、図８に示すように、パラフィンワックス層８中に、枯草菌４と豚由来の脂肪を包含させたマイクロカプセル９とを分散させてもよいし、図９に示すように、豚由来の脂肪を包含させたマイクロカプセル９の表面に枯草菌４が付着されていてもよい。なお、図９では、マイクロカプセル９の表面に枯草菌４が付着されたものを忌避成分１０としている。
また、図８に示す忌避材１の左側は、紐５の表面を被覆しているパラフィンワックス層８の一部を取り除いた状態を示す断面図であり、図９に示す繊維７の拡大図中の左側は、繊維７の表面を被覆しているパラフィンワックス層８の一部を取り除いた状態を示す断面図である。
【００２８】
本考案で使用するマイクロカプセルには、豚由来の脂肪の全てを包含させてもよいし、豚由来の脂肪の一部をそのままパラフィンワックス中に分散させ、残りの豚由来の脂肪をマイクロカプセル中に包含させて同じパラフィンワックス中に分散させてもよい。
ここで、包含とは、マイクロカプセルに設けられた孔中に前記豚由来の脂肪が含有されていることをいう。
【００２９】
前記マイクロカプセルとしては、シリカ、珪酸カルシウム、アルミナなどが挙げられるが、特に限定はない。また、マイクロカプセルは忌避成分の放出性に優れる点から、多孔質のものであることが好ましい。
【００３０】
前記マイクロカプセルの大きさとしては、直径が約０．５μｍ〜１０００μｍほどであればよい。ただし、繊維基材への付着性が良好で、その付着に必要なパラフィンワックスの量が少なくてすみ、繊維基材の風合も損なわないという観点から、粒径は０．５〜１０μｍのように小さいほうが好ましい。前記マイクロカプセルとしては、市販のものを使用すればよい。
【００３１】
前記マイクロカプセル中に前記豚由来の脂肪を包含させる手法としては、公知の手法であればよく、例えば、前記脂肪を溶解させた液をマイクロカプセルに噴霧したり、前記脂肪を溶解させた液中にマイクロカプセルを浸漬するなどの手法が挙げられるが、特に限定はない。前記脂肪を溶解させた液を作製する場合、前記脂肪を加熱して溶解させてもよいし、必要であれば所定の溶媒に希釈したり、分散してからマイクロカプセルに包含させてもよい。
【００３２】
また、前記マイクロカプセル中に包含される前記豚由来の脂肪の量としては、マイクロカプセルに設けられた孔の容量により一概に限定できないが、前記脂肪の量が多いほど忌避効果を強くし、かつ長期間持続させることができる。
【００３３】
本考案の忌避材は、特許文献４に記載される従来品よりも、豚由来の脂肪に特有の不快臭が顕著に低減されていながら、忌避効果は維持されているため、耕作地やその周辺部、特に人家に近い場所に設置した場合でも、不快臭による周囲への配慮を必要としない点で、設置可能性が顕著に優れている。
【００３４】
以上のような構成を有する本考案の忌避材の製造方法としては、特に限定はないが、例えば、図１、４に示す忌避材１の場合、豚由来の脂肪を予め溶解させ、これに枯草菌４を混合した後、得られた混合液を繊維基材である不織布２の表面に塗布して乾燥させることで、不織布２の表面に枯草菌４を含む豚由来の脂肪層３を形成させることができる。
また、図２、５に示す忌避材１の場合、前記の製造方法において、不織布２を紐５に代えればよいし、図３、６に示す忌避材１の場合、前記の製造方法において、不織布２をロープ６に代えればよい。なお、図３、６に示す忌避材１では、例えば、豚由来の脂肪と枯草菌４を含む混合液がロープ６を構成する各繊維７の表面を覆うことができるように、ロープ６を前記混合液中に浸漬してもよい。
また、図７に示す忌避材１の場合、図１、４に示す忌避材１の製造を行った後、さらに溶解したパラフィンワックスを塗布して、外層にパラフィンワックス層８を形成すればよい。
また、図８に示す忌避材１の場合、予め豚由来の脂肪を包含させたマイクロカプセル９と枯草菌４とを、パラフィンワックスの溶解液に混合させ、得られた混合液を繊維基材である紐５の表面に塗布して乾燥させることで、紐５の表面に前記マイクロカプセル９と枯草菌４とを含むパラフィンワックス層８を形成させることができる。
また、図９に示す忌避材１の場合、豚由来の脂肪を包含させたマイクロカプセル９に枯草菌４を付着させたものを、パラフィンワックスの溶解液に混合させ、得られた混合液中に繊維基材であるロープ６を浸漬した後、乾燥させることで、ロープ６を構成する繊維７の表面に、枯草菌４で表面がコーティングされた前記マイクロカプセル９を含むパラフィンワックス層８を形成させることができる。
【００３５】
得られた忌避材１は、そのまま使用してもよいが、繊維基材の形状や必要に応じて、ハサミやカッターで切るなどして所望の長さ、形状にしてから使用してもよい。
【実施例】
【００３６】
以下、本考案を実施例、試験例によりさらに詳しく説明するが、本考案はこれらの実施例に限定されるものではない。
【００３７】
（実施例）
市販の豚由来の脂肪２０部を予め溶解させ、これに市販の枯草菌であるＢＮ菌０．０１部を混合した後、得られた混合液を繊維基材である紐１００部の表面に２０部となるように塗布し、室温で乾燥させることで、図２、５に示す構造を有する忌避材１を作製した。
得られた忌避材１は、原料で使用した豚由来の脂肪と比べて、脂肪に特有の不快臭が顕著に低減されていた。
【００３８】
（試験例）
２０１３年９月に、猪が出没することが知られる岡山県にある地域内で、昨年猪の被害を受けた田圃を１か所選択し（田圃Ａ）、その田圃の周囲を覆うように、実施例で得られた忌避材１を設置した。田圃Ａの周囲には忌避材１以外に、柵などは設けなかった。なお、田圃Ａ及びその周辺の田圃には水稲が植えられていた。
水稲が出穂してから数日後、忌避材１を設置した田圃Ａには猪の侵入は見られなかったが、田圃Ａから少し離れた周辺部の田圃には猪の侵入が確認された。
したがって、忌避材１には、猪の忌避効果があることが確認された。
【００３９】
なお、前記実施例において、繊維基材を紐のかわりに、市販されている各種素材からなる農業用ロープや不織布にかえた場合でも、それぞれの繊維基材の表面上にＢＮ菌を含む豚由来の脂肪の層を形成させることができ、いずれの忌避材でも豚由来の脂肪に特有の不快臭が顕著に低減されていた。
【符号の説明】
【００４０】
１  忌避材
２  不織布
３  豚由来の脂肪層
４  枯草菌
５  紐
６  ロープ
７  繊維
８  パラフィンワックス層
９  マイクロカプセル
１０  忌避成分
【図１】
0003188837.tif 000003
【図２】
0003188837.tif 000004
【図３】
0003188837.tif 000005
【図４】
0003188837.tif 000006
【図５】
0003188837.tif 000007
【図６】
0003188837.tif 000008
【図７】
0003188837.tif 000009
【図８】
0003188837.tif 000010
【図９】
0003188837.tif 000011
【手続補正書】
【提出日】平成25年12月2日(2013.12.2)
【手続補正１】
【補正対象書類名】実用新案登録請求の範囲
【補正対象項目名】全文
【補正方法】変更
【補正の内容】
【実用新案登録請求の範囲】
【請求項１】
表面に豚由来の脂肪と枯草菌とが付着されている繊維基材からなり、
前記繊維基材が不織布、紐又はロープである猪用忌避材。
【請求項２】
枯草菌がＢＮ菌である請求項１に記載の猪用忌避材。
【請求項３】
さらにパラフィンが付着されている請求項１又は２に記載の猪用忌避材。
【請求項４】
豚由来の脂肪がマイクロカプセルに包含されている請求項３に記載の猪用忌避材。
【手続補正２】
【補正対象書類名】明細書
【補正対象項目名】０００９
【補正方法】変更
【補正の内容】
【０００９】
即ち、本考案の要旨は、
〔１〕表面に豚由来の脂肪と枯草菌とが付着させている繊維基材からなり、
前記繊維基材が不織布、紐又はロープである猪用忌避材、
〔２〕枯草菌がＢＮ菌である前記〔１〕に記載の猪用忌避材、
〔３〕さらにパラフィンが付着されている前記〔１〕又は〔２〕に記載の猪用忌避材、
〔４〕豚由来の脂肪がマイクロカプセルに包含されている前記〔３〕に記載の猪用忌避材
に関する。